(57)【要約】      （修正有）【課題】既存の電気掃除機に接続でき、掃除機の活用を促進させることが可能な吸入具、ホース、継手で構成される吸入装置を提供する。【解決手段】吸入具３、ホース１を細く、長くすることで狙ったポイントに吸入具３の先端がスムーズに届くようにした。ホース１、吸入具３ともに細くしたことで吸引力が強まり、ほこり等吸い取り効果が飛躍的に向上した。また軽量化が図られ、操作性も向上した。さらに、継ぎ手４を介し殆どすべての電気掃除機に接続、使用できるようになった。【選択図】図１
0003182743.tif 000002
【実用新案登録請求の範囲】
【請求項１】
蛇腹で形成されしかも、両端にホース端パイプ（２）が嵌入された小径のホース（１）の一端側に、先端部が偏平状に加工された吸入具（３）を、他端部側に外部径がテーパ状をした継手（４）を嵌入して吸入装置を構成し、上記継手（４）を既存の電気掃除機ホース（イ）に接合することにより、吸い取り作用させる掃除機の吸入装置。
【考案の詳細な説明】
【技術分野】
【０００１】  電気掃除機の吸入装置の考案に関するものである。
【背景技術】
【０００２】  商店における商品棚の清掃は、棚から商品を降ろして行う拭き掃除又は商品は動かすことなく電気掃除機による吸い取り掃除が一般的である。拭き掃除は、商品の移動を含め多くの時間と労力を必要とし、一方電気掃除機による吸い取り掃除は、狭い商品と商品の間の吸い取りに適合する掃除用具が未だないことから、掃除そのものが余り行われていないのが実情である。殆ど全ての店舗で装備している筈の電気掃除機も、棚清掃に適した掃除用具がないことから活用されず、正に宝の持ち腐れであった。（特開２０１１−０１５８７５、特開２０１０−１３６７９９、特開平１０−３２３３０４）
【考案の概要】
【考案が解決しようとする課題】
【０００３】  従来、商店等において既存の電気掃除機を用いて商品棚の清掃を行おうとする場合、掃除機の付属品である吸入具等が大き過ぎるため、商品をいちいち棚から降ろした上で行うしかなく、多大な労力と時間が必要であった。また主に床清掃用に作られているホースを棚の清掃に使おうとしても高い棚には届かない、太すぎる、重すぎる等、不適合であった。本考案は、これらの課題解消に効果をあげるようなされた商品棚のほこり吸い取り専用の掃除機吸入具、ホース、継手である。
【課題を解決するための手段】
【０００４】  商品棚の商品と商品の狭い隙間、また棚の奥まで吸入具の先端が届くよう、吸入具（３）は必要な範囲でできるだけ細く、長い形状とした。またホース（１）は高い棚に届くよう長くし、操作性を高めるため細く、軽いものとした。更にサイズの異なる様々な掃除機との接続は、継手（４）を介して行うこととした。吸入具（３）、ホース（１）、継手（４）それぞれの製品素材として軽量、柔軟、加工容易な「ポリエチレン」を採用した。
【考案の効果】
【０００５】  吸入具（３）、ホース（１）、継手（４）で構成される吸入装置であるが、細くしたことで商品と商品の隙間に吸入装置を簡単に挿入できるようになった。また吸入具とホースを長くしたことで棚の奥まで吸入具の先端が届くようになった。またホースを細く、軽くしたことで操作性が向上。また吸入具、ホースともに細くしたことで吸引力が増大し、ほこり吸い取り効果が飛躍的に向上した。棚の清掃が商品を動かすことなくできるようになり労力、時間が大幅に節減された。更に、継手を介し殆どすべての既存の電気掃除機に接続でき、掃除機の活用を促進させることとなった。
【図面の簡単な説明】
【０００６】
【図１】本考案の使用状態を示す構成図である。
【図２】図１の吸入具（３）の斜視図である。
【図３】図１のホース（１）の斜視図である。
【図４】図１の継手（４）の斜視図である。
【図５】従来の電気掃除機及びその付属品である。
【考案を実施するための形態】
【０００７】  以下に必要に応じて添付図面を参照しつつ本考案を詳細に説明する。
【０００８】  図１は本考案の使用状態を示す構成図である。本考案は、小径の蛇腹ホース（１）の両端に、ホース端パイプ（２）を嵌入し、その先端部に吸入具（３）を、後端部に継手（４）を接続することで吸入装置を構成し、これを既存の電気掃除機ホース接続口（Ａ）に接続することで、商品棚の狭い空間のほこり吸い取り掃除を有効ならしめようとするものである。
【０００９】  本考案の主要部分、吸入具（３）は、商品棚吸い取り掃除専用に開発したものでその特徴は、吸入具の径は、棚のほこりを吸い取ることができればいいだけの太さで、商品間にスムーズに収入具が入るようできるだけ細くした。また長さは棚の奥まで吸入具の先端が届き、かつ商品サイズに適合する長さにしてある。これに対し、図５に示す従来の電気掃除機の付属品、床用吸口（エ）、棚用吸口（オ）、隙間用兼サッシ用吸口（カ）は、その形状、サイズとも、商品が並んだ狭い棚の掃除用としては適合しない。
考案の吸入具（３）の形状は、図２に示すように３ａが吸入口、３ｂが手持部。手持部（３ｂ）は吸入口（３ａ）よりやや太くし、手で持って操作しやすい太さとした。
吸入口（３ａ）内径：１４ｍｍ    外径：１６ｍｍ
手持部（３ｂ）先内径：２７ｍｍ  先外径：２９ｍｍ
後内径：２５ｍｍ  後外径：２７ｍｍ
全長：３３ｃｍ  が最適と考えられる。
ホース（１）との接続は、吸入具手持部（３ｂ）をホース端（１ｂ）に差し込む方式とした。
吸入具の素材は、軽量、加工容易なポリエチレンを採用した。
【００１０】  ホース（１）は、高い棚に届くよう長くし、太さをできるだけ細くすることで軽量化を図った。
ホース蛇腹部（１ａ）内径：２８ｍｍ    外径：３２ｍｍ
全長：１０００ｍｍ及び１５００ｍｍの２種
ホース端部（１ｂ）  内径：２８ｍｍ    外径：３０ｍｍ
全長：６１ｍｍ
ホース端部（１ｂ）の肉厚は１ｍｍであるが、肉厚２ｍｍのホース端パイプ（２）を嵌入することで、ホース（１）の両端のホース端部（１ｂ）の強度を増すとともに、吸入具手持部（３ｂ）及び継手（４ａ）との接合をより確実なものとなるようした。
ホース端パイプ（２）    内径：３０ｍｍ  外径：３４ｍｍ
全長：６０ｍｍ
継手（４）との接続は、ホース端パイプ（２）を継手（４）に差し込む方式とした。
ホース（１）及びホース端パイプの素材として、軽量、加工容易なポリエチレンを採用した。
【００１１】  継手（４）は、既存の電気掃除機の各種のホースサイズに適合、接続できるようホース端受部（４ａ）の大径部から小径部（４ｂ）へとテーパ形状とした。
継手サイズ  ホース（１）側内径：３４ｍｍ      外径：４０．５ｍｍ
掃除機（イ）側内径：２７．２ｍｍ  外径：３１．５ｍｍ
全長：１２２ｍｍ
適合サイズ：３２〜３９．５ｍｍ
継手（４）を既存の電気掃除機ホース（イ）に差し込むことにより掃除機本体と接続する。
継手の素材として、軽量、加工容易なポリエチレンを採用した。
【００１２】  従来の電気掃除機及びその付属品は、基本的に床清掃を主対象に設計されており、既存の電気掃除機ホース（イ）は長さ約１．２ｍではあるが高い棚には届かない。太さ概ね５４ｍｍ、電気機能を持った蛇腹銅線入りで、堅牢ではあるが重量約１ｋｇと重い。商品棚清掃用としては太く、重く、扱いにくい。ウは延長管であるが、棚清掃には必要としない付属品である。エは床用吸口、オは棚用吸口、カは隙間用兼サッシ用吸口であるが、いずれも商品棚の吸い取りには不向きな付属品である。
【製造方法】
【００１３】  既存の電気掃除機ホース（イ）は、ホース自体に電気機能をもたせるための銅線と強度保持のための鋼線を内蔵しているが、今般のホース（１）開発では、専ら軽量で柔軟かつ操作性の高いホースを追求し、敢えてホース内に電気機能は持たせていない。ホースの色は中が透けて見えないよう有色とした。
ホースの製品素材として、既存の石油ポンプ（ポリエチレン）の素材特性は正に最適で、その加工技術も含め全面的に採用することとした。
吸入具（３）及び継手（４）の素材にあっても同様に、ポリエチレンが最適である。
【産業上の利用の可能性】
【００１４】  本考案は、多くの商店における商品棚のクリンネスと、電気掃除機の利用を一気に促進させる、商店必須の棚掃除専用アイテムとなりうる。
【符合の説明】
１      ホース
１ａ    蛇腹部
１ｂ    ホース端部
２      ホース端パイプ
３      吸入具
３ａ    吸入口
３ｂ    手持部
４      継手
４ａ    ホース端受部
４ｂ    既存掃除機ホースへの挿入部
ア      既存の電気掃除機本体
イ      既存の電気掃除機ホース
ウ      延長管
エ      床用吸口
オ      棚用吸口
カ      隙間用兼サッシ用吸口
Ａ      ホース接続口
【図１】
0003182743.tif 000003
【図２】
0003182743.tif 000004
【図３】
0003182743.tif 000005
【図４】
0003182743.tif 000006
【図５】
0003182743.tif 000007